(57)【要約】【課題】新設する乗りかごの、操作盤が取り付けられる側板の設計の自由度を向上させることができるエレベータの改修方法の提供。【解決手段】第１工事Ｓ１において、工程ｓ１では既設のエレベータ制御装置を新式のエレベータ制御装置に取り替え、工程ｓ２では既設の乗りかご１の旧式の操作盤を新式のエレベータ制御装置に対応した新式の操作盤８に取り替え、工程ｓ３では工程ｓ１で新設された新式のエレベータ制御装置と、工程ｓ２で取り付けられた新式の操作盤８とを接続して新式のエレベータ制御装置および新式の操作盤８により既設の乗りかごを使用できるようにし、工事中断期間ｓ４中にエレベータの運行を行なう。そして、第２工事において、工程ｓ５では新式の操作盤８を既設の乗りかご１から取り外し、既設の乗りかご１を新式の乗りかごに取り替え、この新式の乗りかごに新式の操作盤８を取り付けるようにした。【選択図】　　　　図１
2004010305.tif 000002
【特許請求の範囲】
【請求項１】
既設のエレベータ制御装置を新式のエレベータ制御装置に取り替える第１工事と、既設の乗りかごを新式の乗りかごに取り替える第２工事とを時期をずらして実施するエレベータの改修方法において、
前記第１工事を前記第２工事よりも先に行なうとともに、
前記第１工事では、前記新式のエレベータ制御装置に対応する新式の操作盤を、前記既設の乗りかごの側板に取付部材を介して取り付け、
前記第２工事では、前記新式の操作盤を既設の乗りかごから取り外し、新設した前記新式の乗りかごに取り付けることを特徴とするエレベータの改修方法。
【請求項２】
前記取付部材が、前記側板の表面に取り付けられることを特徴とする請求項１記載のエレベータの改修方法。
【請求項３】
前記取付部材が、前記側板の横幅方向に並んで位置する複数の板部材からなることを特徴とする請求項２記載のエレベータの改修方法。
【請求項４】
前記複数の板部材の横幅寸法を合計した寸法を、前記既設の乗りかご内に露出する前記側板部分の横幅寸法よりも短く設定したことを特徴とする請求項３記載のエレベータの改修方法。
【発明の詳細な説明】
【０００１】
【発明の属する技術分野】
本発明は、既設のエレベータ制御装置を新式のエレベータ制御装置に取り替える工事と、既設の乗りかごを新式の乗りかごに取り替える工事とを時期をずらして実施するエレベータの改修方法に関する。
【０００２】
【従来の技術】
従来から、エレベータでは、エレベータの性能の発達や意匠の流行の変化に合わせて、エレベータを制御する既設のエレベータ制御装置を性能の高い新式のエレベータ装置に取り替え、また、既設の乗りかごを流行している意匠の新式の乗りかごに取り替える改修工事が行なわれる。
【０００３】
この種の改修工事では、既設のエレベータ制御装置を新式のエレベータ制御装置に取り替える第１工事と、既設の乗りかごを新式の乗りかごに取り替える第２工事とを時期をずらして実施することにより、第１工事と第２工事との間に改修工事の中断期間を設けて、この中断期間中にエレベータを運行する分割工法が採用されることがある。この分割工法を採用した改修工事では、第２工事の準備期間中にエレベータが運行できるので、改修工事期間中にエレベータが運行できない期間を短くすることができる。
【０００４】
また、この種の改修工事では、例えば既設のエレベータ制御装置がリレーなどの電磁接触器を利用してエレベータを制御する旧式のエレベータ制御装置である場合、この旧式のエレベータ制御装置が、マイクロコンピュータを利用してエレベータを制御する新式のエレベータ制御装置に取り替えられる。この場合には、旧式である既設のエレベータ制御装置に対応した旧式の操作盤も、新式のエレベータ制御装置に対応した新式の操作盤に取り替えられる。
【０００５】
以下に、この種のエレベ−タの改修工事に適用されるエレベータの改修方法の従来技術を、次の第１の従来技術と第２の従来技術を例に説明する。なお、第２の従来技術は、特開平５−１０５３５３号公報に記載の技術である。
【０００６】
はじめに、第１の従来技術について説明する。
【０００７】
第１の従来技術では、エレベータの改修工事を行なう際、既設のエレベータ制御装置を新式のエレベータ制御装置に取り替える第１工事が先に行われ、その後に既設の乗りかごを新式の乗りかごに取り替える第２工事が行なわれる。
【０００８】
第１工事が終了した段階では、エレベータ制御装置が旧式から新式に取り替えられているが、既設の乗りかごには、既に取り外されている旧式のエレベータ制御装置に対応する旧式の操作盤が設けられたままである。したがって、第１工事が終了してから第２工事が開始されるまでの改修工事の中断期間は、旧式の操作盤と新式のエレベータ制御装置とによって、エレベータの運行を行なう。
【０００９】
そして、第２工事の準備が完了し工事に必要な期間が確保されると、第２工事が行なわれ、既設の乗りかごが新式の乗りかごに取り替えられる。この新式の乗りかごには、新式の操作盤が搭載され、この新式の操作盤と第１工事で新設された新式のエレベータ制御装置とが配線で接続されて、エレベータ制御装置および乗りかごの改修工事が完了する。
【００１０】
しかし、このように実施される第１の従来技術では、旧式の操作盤と新式のエレベータ制御装置との間で信号の通信方法が適合していないことがあるため、第１工事および第２工事を実施している期間だけでなく、第１工事が終了してから第２工事が開始されるまでの改修工事の中断期間中もエレベータを運行できないという問題が発生することがある。
【００１１】
次に、第２の従来技術について説明する。
【００１２】
第２の従来技術では、エレベータの改修工事を行なう際、上述の第１の従来技術とは逆に、既設の乗りかごを新式の乗りかごに取り替える第２工事が先に行われ、その後に既設のエレベータ制御装置を新式のエレベータ制御装置に取り替える第１工事が行なわれる。
【００１３】
この第２の従来技術では、先に行なわれる第２工事において、既設の乗りかごが新式の乗りかごに取り替えられるとともに、新式の乗りかごに新式の操作盤を取り付ける代わりに、旧式である既設のエレベータ制御装置に対応した仮の操作盤が一時的に取り付けられる。
【００１４】
そして、第１工事の準備が完了し工事に必要な期間が確保されると、第１工事が行なわれ、既設のエレベータ制御装置が新式のエレベータ制御装置に取り替えられる。また、この第１工事では、仮の操作盤が取り外され、第２工事で新設された新式のエレベータ制御装置に対応する新式の操作盤が、新設された乗りかごに取り付けられる。そして、新式の操作盤と新式のエレベータ制御装置とが配線で接続される。これにより、乗りかごおよびエレベータ制御装置の改修工事が完了する。
【００１５】
このように実施される第２の従来技術では、第２工事が終了してから第１工事が行なわれるまでの改修工事の中断期間中に、既設のエレベータ制御装置と仮の操作盤とによってエレベータを運行するので、エレベータ制御装置と操作盤との間で通信方法が適合しないという事態が生じることがない。すなわち、第２の従来技術では、改修工事の中断期間中にエレベータを運行できないことがあるという第１の従来技術の問題が解消できる。
【００１６】
ここで、第２の従来技術の第１工事により、仮の操作盤が新設の乗りかごにどのように取り付けられるのかを図５，６を用いて、次の（１），（２）で説明する。
【００１７】
図５は、第２の従来技術の第２工事により、新設の乗りかごのドアの側方に仮の操作盤が取り付けられた状態を示す斜視図、図６は、図５のＣ−Ｃ断面図である。
【００１８】
（１）仮の操作盤１３が取り付けられた新設の乗りかご１０の構成を説明する。
【００１９】
図５において、符号１０は新設の乗りかご、符号２０は出入口のドア、符号１３は仮の操作盤、符号１４は仮の操作盤１３をドア２０の右側方（ドア２０側を正面とする）の側板１２に取り付けるための仮の部分側板である。
【００２０】
上記側板１２は、仮の部分側板１４が嵌め込まれる縦長の開口部１２ａと、この開口部１２ａの縁部に設けられ仮の部分側板１４を固定するための立上り部１２ｃ，１２ｄとを有している。
【００２１】
上記仮の部分側板１４は、中央に設けられる縦長の開口部１４ａと、部分側板１４の裏面１４ｆで開口部１４ａの両側部のそれぞれに設けられる立上り部１４ｃ，１４ｄと、裏面１４ｆで両側縁部のそれぞれに設けられる立上り部１４ｂ，１４ｅとを有している。これらの立上り部１４ｂ，１４ｅのそれぞは、上述の側板１２の立上り部１２ｃ，１２ｄのそれぞれにボルト１５，１６によって締結されている。
【００２２】
上記仮の操作盤１３のケース１３ａは、開口部１４ａに嵌め込まれた状態で、仮の部分側板１４の立上り部１４ｃ，１４ｄにボルト１７，１８によって締結されている。
【００２３】
（２）仮の操作盤１３を新設の乗りかご１０に取り付ける手順を説明する。
【００２４】
はじめに、新設の乗りかご１０の側板１２の開口部１２ａに仮の部分側板１４を嵌め込み、側板１２の立上り部１２ｃ，１２ｄと部分側板１４の立上り部１４ｂ，１４ｅとをボルト１５，１６で締結する。この作業は、側板１２の裏側３１、すなわち、新設の乗りかご１０と昇降路の壁（図示せず）との間の狭い空間で行なわれる。
【００２５】
次に、部分側板１４の開口部１４ａに、仮の操作盤１３のケース１３ａを挿入し、このケース１３ａを部分側板１４の立上り部１４ｃ，１４ｄにボルト１７，１８により締結し、このケース１３ａに仮の操作盤１３を取り付ける。これにより、新設の乗りかご１０に対する仮操作盤１３の取付けが完了する。
【００２６】
【発明が解決しようとする課題】
ところが、上述の第２の従来技術では、改修作業の中断期間中にエレベータを運行できないという第１の従来技術の問題を解消できるものの、新設の乗りかご１０の側板１２には、仮の操作盤１３および新設する新式の操作盤の両方を取付けるので、仮の部分側板１４と新設する操作盤に対応する部分側板との両方の取付けを考慮した開口部１２ａを設ける必要があり、したがって、側板１２の設計の自由度が制限され、これにより、乗りかご内の意匠の自由度が制限されるという問題があった。
【００２７】
本発明は、上述の現状を考慮してなされたもので、その目的は、新設する乗りかごの、操作盤が取り付けられる側板の設計の自由度を向上させることができるエレベータの改修方法を提供することにある。
【００２８】
【課題を解決するための手段】
上述の目的を達成するために、請求項１に係る発明では、既設のエレベータ制御装置を新式のエレベータ制御装置に取り替える第１工事と、既設の乗りかごを新式の乗りかごに取り替える第２工事とを時期をずらして実施するエレベータの改修方法において、前記第１工事を前記第２工事よりも先に行なうとともに、前記第１工事では、前記新式のエレベータ制御装置に対応する新式の操作盤を、前記既設の乗りかごの側板に取付部材を介して取り付け、前記第２工事では、前記新式の操作盤を既設の乗りかごから取り外し、新設した前記新式の乗りかごに取り付けることを特徴としている。
【００２９】
このように構成した請求項１に係る発明では、第１工事により、既設のエレベータ制御装置を新式のエレベータ制御装置に取り替え、新式のエレベータ制御装置に対応する新式の操作盤を、取付部材を介して既設の乗りかごの側板に取り付けて、これら新式のエレベータ制御装置および新式の操作盤により既設の乗りかごを使用できるようにするので、第１工事と第２工事との間の改修工事の中断期間中は、新式のエレベータ制御装置と新式の操作盤によって既設の乗りかごを運行できる。これにより、新設する乗りかごの、操作盤が取り付けられる側板は、新式の操作盤にのみ対応するように設計すればよいので、設計の自由度を向上させることができる。
【００３０】
また、この請求項１に係る発明では、新設する乗りかごの側板が、新設する操作盤にのみ対応するものであればよいので、前述の第２従来技術よりも新設する乗りかごの部品点数を減少させることができる。
【００３１】
また、請求項２に係る発明は、請求項１に係る発明において、前記取付部材が、前記側板の表面に取り付けられることを特徴としている。
【００３２】
このように構成した請求項２に係る発明では、取付部材を既設の乗りかごの側板の表面に取り付けるので、新設する操作盤の、既設の乗りかごに対する取付作業を、乗りかご内で行なうことができる。
【００３３】
また、請求項３に係る発明は、請求項２に係る発明において、前記取付部材が、前記側板の横幅方向に並んで位置する複数の板部材からなることを特徴としている。
【００３４】
また、請求項４に係る発明は、請求項３に係る発明において、前記複数の板部材の横幅寸法を合計した寸法を、前記既設の乗りかご内に露出する前記側板部分の横幅寸法よりも短く設定したことを特徴としている。
【００３５】
【発明の実施の形態】
以下に、本発明のエレベータの改修方法の一実施形態を図を用いて説明する。
【００３６】
はじめに、本実施形態の作業手順を説明する。
【００３７】
図１は、本実施形態を適用したエレベータの改修工事の作業手順を示すフローチャートである。
【００３８】
本実施形態は、前述の従来技術と同様に、エレベータの性能の発達や意匠の流行の変化に合わせて、エレベータを制御する既設のエレベータ制御装置を性能の高い新式のエレベータ制御装置に取り替え、また、既設の乗りかごを流行している意匠の新式の乗りかごに取り替える改修工事に適用されるエレベータの改修方法である。
【００３９】
また、本実施形態は、図１に示すように、既設のエレベータ制御装置を新式のエレベータ制御装置に取り替える第１工事Ｓ１と、既設の乗りかごを新式の乗りかごに取り替える第２工事Ｓ２とを時期をずらして実施する分割工法を採用している。
【００４０】
上記第１工事Ｓ１では、工程ｓ１〜ｓ３を行う。
【００４１】
工程ｓ１では、機械室に設置された既設のエレベータ制御装置が、例えばリレーなどの電磁接触器を利用してエレベータを制御する旧式のエレベータ制御装置である場合に、この旧式のエレベータ制御装置を、マイクロコンピュータを利用してエレベータを制御する新式のエレベータ制御装置に取り替える。
【００４２】
工程ｓ２では、既設の乗りかごに設けられている操作盤が、既設のエレベータ制御装置に対応した旧式の操作盤なので、この旧式の操作盤を、新式のエレベータ制御装置に対応した新式の操作盤に取り替える。すなわち、新設する乗りかごに取り付ける新式の制御盤を、既設の乗りかご１に一時的に取り付ける。
【００４３】
工程ｓ３では、工程ｓ１で新設された新式のエレベータ制御装置と、工程ｓ２で既設の乗りかごに取り付けられた新式の操作盤とを配線により接続する。
【００４４】
また、上記第２工事では、工程ｓ５を行なう。この工程ｓ５では、新式の操作盤を既設の乗りかごから取り外して、既設の乗りかごを新式の乗りかごに取り替えるとともに、新設した乗りかごに、既設の乗りかご１から取り外した新式の操作盤を取り付ける。
【００４５】
なお、第１工事Ｓ１と第２工事Ｓ２との間には、改修工事を中断する中断期間ｓ４を設けてあり、この中断期間ｓ４では、新設された新式のエレベータ制御装置と、既設の乗りかごに取り付けられた新式の操作盤とによって、既設の乗りかごを使用できるようにし、エレベータの運行を行なう。この改修工事の中断期間中は、第２工事Ｓ２の準備が行なわれる。すなわち、第２工事の準備期間中にエレベータを運行させることにより、改修工事期間中のエレベータが運行できない期間を短くしている。
【００４６】
次に、上述の第１工事Ｓ１の工程ｓ２により、新設された新式のエレベータ制御装置に対応する新式の操作盤を、既設の乗りかごにどのように取り付けるのかを、図２〜４を用いて次の（１），（２）で説明する。
【００４７】
図２は、図１に示す第１工事の工程ｓ２により、既設の乗りかごのドアの側方に新式の操作盤が取り付けられた状態を示す斜視図、図３は、図２のＡ−Ａ断面図、図４は、図２のＢ−Ｂ断面図である。
【００４８】
（１）新式の操作盤が取り付けられた既設の乗りかごの構成について説明する。
【００４９】
図２において、符号１は既設の乗りかご、符号９は出入口のドア、符号２は出入口の縦枠、符号８は新設される新式のエレベータ制御装置に対応する新式の操作盤、符号５，６は新式の操作盤８をドア９の右側方（ドア９側を正面とする）の側板３（図３，４参照）に取り付けるための取付部材、符号４は乗りかご１の右側の側壁を構成する側板である。
【００５０】
上記取付部材５，６は、図２〜４に示すように、板部材からなり、互いに左右対象に形成してある。また、これら取付部材５，６のそれぞれは、図４に示すように、新式の操作盤８のケース８ａを嵌め込むための開口部を形成する切欠き部５ｃ，６ｃのそれぞれを有している。また、これら取付部材５，６のそれぞれは、切欠き部５ｃ，６ｃの側縁部に、新式の操作板８のケース８ａをボルト１０，１１で締結するための立上り部５ｂ，６ｂを有している。
【００５１】
また、これら取付部材５，６は、取付部材５の一方の縁５ａが縦枠２に当接し、取付部材６の他方の縁６ａが側板４に当接するように、縦枠２と側板４との間に配置し、乗りかご１のドア９の側方に位置する側板３の表面３ｂに接着やリベット等により固着してある。
【００５２】
また、これら取付部材５，６の長手寸法は、既設の乗りかご１の側板３の、既設の乗りかご１内に露出する部分と同寸法に設定してある。
【００５３】
また、これらの取付部材５，６の短手寸法すなわち横幅寸法は、取付部材５，６の横幅寸法を合わせた寸法が、乗りかご１内に露出する側板３の設計時の横幅寸法、すなわち縦枠２と側板４との間隔寸法によりも若干短くなるように設定してある。これにより、縦枠２と側板４の実際の間隔寸法Ｗ１が、既設の乗りかご１の据付誤差により設計時の寸法よりも小さくなっている場合でも、取付部材５，６を配置できるようにしてある。通常は、図３に示すように、取付部材５，６の横幅寸法を合わせた寸法が、縦枠２と側板４の間隔寸法Ｗ１よりも小さいので、取付部材５，６間に隙間Ｗ２が形成される。この隙間Ｗ２は、パテ７で埋めてある。
【００５４】
また、これらの取付部材５，６および隙間Ｗ２は、乗りかご１内に露出する部分を化粧シート（図示せず）で覆ってある。
【００５５】
（２）新式の操作盤８を既設の乗りかご１に取り付ける手順を説明する。
【００５６】
はじめに、既設の乗りかご１の側板３に、取付部材５，６の立上り部５ｂ，６ｂおよび新式の操作盤８のケース８ａを挿入可能な開口部３ａを設ける。
【００５７】
次に、取付部材５，６を、縦枠２と側板４の間に配置するとともに、側板３の表面３ｂに密着させて固着する。そして、取付部材５，６間に形成された隙間Ｗ２をパテ７で埋める。
【００５８】
次に、取付部材５，６の切欠き部５ｃ，６ｃにより形成された開口部に、新式の操作盤８のケース８ａを挿入し、このケース８ａを取付部材５，６の立上り部５ｂ，６ｂにボルト１０，１１により締結する。
【００５９】
次に、乗りかご１内に露出する取付部材５，６部分および隙間Ｗ２を覆うように、化粧シートを貼り付ける。
【００６０】
最後に、新式の操作盤８のケース８ａに、新式の操作盤８を取り付け、これにより、既設の乗りかご１に対する新式の操作盤８の取付けが完了する。
【００６１】
本実施形態では、次の効果が得られる。
【００６２】
本実施形態では、新設した新式のエレベータ制御装置に対応する新式の操作盤８を既設の乗りかご１に取り付けて、これら新式のエレベータ制御装置および新式の操作盤により既設の乗りかご１を使用できるようにするので、第１工事Ｓ１と第２工事Ｓ２との間の改修作業の中断期間ｓ４中に確実にエレベータを運行することができる。
【００６３】
また、本実施形態では、新設する操作盤８を、既設の乗りかご１の側板３に取付部材５，６を介して取り付けるので、新設する乗りかごの、新式の操作盤８が取り付けられる側板は、新設する操作盤８にのみ対応するように設計すればよい。したがって、新設する乗りかごの、新式の操作盤８が取り付けられる側板の設計の自由度を向上させることができ、これにより、新設する乗りかご内の意匠の自由度を向上させることができる。
【００６４】
また、本実施形態では、新設する乗りかごの側板は、新設する操作盤８にのみ対応するものであればよいので、前述の第２従来技術のように側板に操作盤を取り付けるための部分側板を必要としない。したがって、新設する乗りかごの部品点数を減少させることだでき、したがって、新設する乗りかごの製作費用を削減することができる。
【００６５】
また、本実施形態では、新設する操作盤８の、既設の乗りかご１に対する取付作業および取外し作業を、側板３の表側３０で行なうことができる、すなわち、乗りかご１内で行なうことができるので、作業しやすい。また、昇降路に面した位置で作業を行なわずに済むので、作業者の安全も確保することができる。
【００６６】
また、本実施形態では、取付部材５，６の横幅寸法を合わせた寸法を、設計時の縦枠２と側板４との間隔寸法によりも若干短くなるように設定するとともに、取付部材５，６を縦枠２と側板４との間に配置する際、取付部材５を一方の縁５ａが縦枠２に当接するように配置し、取付部材６を他方の縁６ａが側板４に当接するように配置したので、操作盤８を側板３の幅方向における中央に確実に配置することができる。これにより、新設する操作盤８を既設の乗りかご１の側板３にバランスよく配置でき、したがって、第１工事Ｓ１と第２工事Ｓ２の間の中断期間ｓ４中の既設の乗りかご１内の美観を維持できる。
【００６７】
また、本実施形態では、取付部材５，６間に形成された隙間Ｗ２をパテ７で埋め、取付部材５，６および隙間Ｗ２を化粧シートで覆ったので、この点においても中断期間ｓ４中の既設の乗りかご１内の美観を維持できる。
【００６８】
【発明の効果】
以上に説明したように、本発明の各請求項に係る発明では、第１工事により、既設のエレベータ制御装置を新式のエレベータ制御装置に取り替え、新式のエレベータ制御装置に対応する新式の操作盤を、取付部材を介して既設の乗りかごの側板に取り付けて、これら新式のエレベータ制御装置および新式の操作盤により既設の乗りかごを使用できるようにするので、第１工事と第２工事との間の改修工事の中断期間中は、新式のエレベータ制御装置と新式の操作盤によって既設の乗りかごを運行できる。これにより、新設する乗りかごの、操作盤が取り付けられる側板は、新式の操作盤にのみ対応するように設計すればよいので、設計の自由度を向上させることができる。したがって、新設する乗りかご内の意匠の自由度を向上させることができる。
【００６９】
また、本発明の各請求項に係る発明では、新設する乗りかごの側板は、新設する操作盤にのみ対応するものであればよいので、前術の第２の従来技術よりも新設する乗りかごの部品点数を減少させることができ、したがって、新設する乗りかごの製作費用を削減することができる。
【００７０】
また、特に請求項２に係る発明では、取付部材を既設の乗りかごの側板の表面に取り付けることにより、既設の乗りかごに対する新設する操作盤の取付作業および取外し作業を、乗りかご内で行なうことができるので、作業しやすい。また、昇降路に面した位置で作業を行なわずに済むので、作業者の安全を確保することができる。
【図面の簡単な説明】
【図１】図１は、本発明のエレベータの改修方法の一実施形態を適用したエレベータの改修工事の作業手順を示すフローチャートである。
【図２】図１に示す第１工事の工程ｓ２により、既設の乗りかごのドアの側方に新式の操作盤が取り付けられた状態を示す斜視図である。
【図３】図２のＡ−Ａ断面図である。
【図４】図２のＢ−Ｂ断面図である。
【図５】第２の従来技術において、新設の乗りかごのドアの側方に仮の操作盤が取り付けられた状態を示す斜視図である。
【図６】図５のＣ−Ｃ断面図である。
【符号の説明】
１　既設の乗りかご
２　縦枠
３　側板
４　側板
５，６　取付部材
７　パテ
８　新式の操作盤
３０　表側
【図１】
2004010305.tif 000003
【図２】
2004010305.tif 000004
【図３】
2004010305.tif 000005
【図４】
2004010305.tif 000006
【図５】
2004010305.tif 000007
【図６】
2004010305.tif 000008